(57)【要約】      （修正有）【課題】ポーチやペンケース、或いはキーホルダーやネックストラップなどの種々様々な携行物に対し、容易に立体的な装飾を施せる携行物を提供する。【解決手段】装飾部材３の配置を特定する受け座５が表面に設けられたベース素材２と、このベース素材２の受け座５に対し着脱自在な状態で取付可能とされて取付時には前記ベース素材２の表面を立体的に装飾する装飾部材３とを有した構成とする。ベース素材の受け座５と装飾部材３とを係合離脱可能にするための構造としては、スナップボタンや、ジャンパホックを利用する。面ファスナの雄雌部材や、磁石を利用することも可能である。【選択図】図１
0003185016.tif 000002
【実用新案登録請求の範囲】
【請求項１】
装飾部材の配置を特定する受け座が表面に設けられたベース素材と、このベース素材の受け座に対し着脱自在な状態で取付可能とされて取付時には前記ベース素材表面を立体的に装飾する装飾部材とを有していることを特徴とする立体装飾付き携行物。
【請求項２】
前記装飾部材は前記受け座を正面から可及的に狭い面積で覆い隠すことのできるボタンとされて、このボタンの表面に装飾が表示されていることを特徴とする請求項１記載の立体装飾付き携行物。
【請求項３】
前記ベース素材において複数の受け座が一列に配置されていることを特徴とする請求項１又は請求項２に記載の立体装飾付き携行物。
【考案の詳細な説明】
【技術分野】
【０００１】
本考案は、ポーチやペンケース、或いはキーホルダーやネックストラップなどの種々様々な携行物に対して立体的な装飾を施すことで構成される立体装飾付き携行物に関する。
【背景技術】
【０００２】
持ち物に付属させる名札として、表記文字を使用者ごとにカスタマイズできるようにしたものが提案されている（例えば、特許文献１等参照）。この名札では、ローマ字の一音（一文字である場合や二文字以上の場合もある）を表記させた小片を複数枚貼り付けできるようにしたベースプレートに対し、前記した小片を所望の組み合わせで着脱自在に取り付けるようになっている。
【０００３】
ベースプレートに対する小片の着脱は、正方形状に形成されている小片の四隅にスナップボタンの雌ボタンを取り付けると共に、ベースプレートには、小片の配置に合わせてスナップボタンの雄ボタンを取り付けて、これら雌ボタンと雄ボタンとの嵌合、離脱を行う構造としてあった。
【先行技術文献】
【特許文献】
【０００４】
【特許文献１】実用新案登録第３０９３１２０号公報
【考案の概要】
【考案が解決しようとする課題】
【０００５】
従来公知の名札（特許文献１）において、小片をベースプレートに対して着脱するには、一枚の小片あたり、四つの雌ボタンと四つの雄ボタンとの嵌合、離脱を行う必要があった。そのため非常に面倒であった。また、小片では一つ又は複数の表記文字と共に四つの雌ボタンが表面に現れているので、見栄えが悪いという難点もあった。更に、小片は、表記文字のスペースに加えて四つの雌ボタンを取り付けるスペースを要するため、必然と大きな面積を有したものとせざるを得ず、それに伴ってベースプレート全体としても小型化できない問題があった。言うまでもなく、一枚の小片あたり、四つの雌ボタンと四つの雄ボタンとを要するため、高コストであり、製作能率も低いという問題もあった。
【０００６】
本考案は、上記事情に鑑みてなされたものであって、ポーチやペンケース、或いはキーホルダーやネックストラップなどの種々様々な携行物に対し、取扱上の面倒、低外観性、製作上の高コストや低能率等々、従来の各種問題を一気に解消除去できるようにして立体的に装飾した立体装飾付き携行物を提供することを目的とする。
【課題を解決するための手段】
【０００７】
前記目的を達成するために、本考案は次の手段を講じた。
即ち、本考案に係る立体装飾付き携行物は、装飾部材の配置を特定する受け座が表面に設けられたベース素材と、このベース素材の受け座に対し着脱自在な状態で取付可能とされて取付時には前記ベース素材表面を立体装飾する装飾部材とを有していることを特徴とする。
【０００８】
前記装飾部材は前記受け座を正面から可及的に狭い面積で覆い隠すことのできるボタンとされて、このボタンの表面に装飾が表示されたものとするのが好適である。
前記ベース素材において複数の受け座が一列に配置されたものとしてもよい。
【考案の効果】
【０００９】
本考案に係る立体装飾付き携行物は、取扱上の面倒、低外観性、製作上の高コストや低能率等々、従来の各種問題を一気に解消除去したうえで立体的に装飾できるものとなっている。
【図面の簡単な説明】
【００１０】
【図１】本考案に係る立体装飾付き携行物の第１実施形態を示した斜視図である。
【図２】受け座の取付例を示した断面図である。
【図３】装飾部材の一例を示した側面図である。
【図４】本考案に係る立体装飾付き携行物の第２実施形態を示した斜視図である。
【考案を実施するための形態】
【００１１】
以下、本考案の実施の形態を、図面に基づき説明する。
図１は、本考案に係る立体装飾付き携行物１の第１実施形態を示している。この立体装飾付き携行物１は、ベース素材２と、このベース素材２の表面に装備される装飾部材３とを有して構成されている。
ベース素材２は、要するに携行物としての本体を言うものであって、本第１実施形態では片手で持ち運びができる、いわゆるポーチに適用した場合を示してある。ただ、ポーチとしたのはあくまでも携行物の一例を示したに過ぎず、用途をはじめとしてその形状や大きさに何ら制約はない。例えば、ベース素材２はペンケース、バッグ、ネームプレート、キーホルダー、マスコットなど、種々様々なものに適用することができる。加えて、このベース素材２の材質についても特に限定されるものではなく、例えば天然皮革としてもよいし人工皮革としてもよい。また、布帛や樹脂シート材など、携行物に適する素材であればどのようなものでもよい。
【００１２】
このベース素材２の表面には、装飾部材３の配置を特定し、且つ装飾部材３を取り付けるための受け座５が設けられている。ここで言う「ベース素材２の表面」は、ベース素材２の通常の使用で外から視認できる面を言うものであって（内側に隠れる面ではない、という意味）、ベース素材２をポーチなどに適用する場合では、相反して外を向く２面を含んで言うことになる。
【００１３】
この受け座５は、装飾部材３との間で係合と離脱とを繰り返し行える構造であれば、その具体的構造が限定されるものではない。また受け座５は、単数としても複数としてもよい。単数とする場合のベース素材２に対する配置や、複数とする場合の各受け座５相互の配置や配置間隔なども、任意に選択可能である。受け座５を複数とする場合、その配置を例えば星形などのような図形配置としておけば、受け座５自体でも、本装飾（装飾部材３を取り付けた状態）を連想させる仮装飾を呈するものとなる。
【００１４】
本第１実施形態において受け座５は、ベース素材２において複数（図例では７個）の受け座５がベース素材２（ポーチ）の下辺部に沿って並行するように、互いに一定間隔を保持しつつ一列に配置されたものとしてある。この配置は、ベース素材２としてのポーチを片手で把持したときに、手指が届く位置であり、受け座５に装飾部材３を取り付けたときには、装飾部材３がポーチの使用者にとって独特な指触り感を与え、また実質的に滑り止めの作用をするといった利点となる。
【００１５】
また、本第１実施形態において各受け座５は、図２に示すようにスナップボタンを構成するうちの雄金具によって形成されたものとしてある。すなわち、この受け座５は、ベース素材２の裏面側に当接させる裏打ち具６とこの裏打ち具６の中心部で突出する係合突起７とを有しており、ベース素材２に形成した孔２ａへその裏側から係合突起７を貫通させ、ベース素材２の表面側から係合突起７に孔付きの表装リング８をカシメ状に嵌め付けることで、裏打ち具６と表装リング８とでベース素材２を挟持する構造としてある。
【００１６】
なお、ベース素材２において、係合突起７の貫通用の孔２ａのまわりを補強するため、必要に応じてベース素材２の裏面に裏当て材１０を重ね合わせる（裏打ち具６と表装リング８との間でベース素材２と共に挟持させる）ようにするとよい。この裏当て材１０は、受け座５を複数設ける場合にあっては、各受け座５の配置ピッチに合わせて一連に（複数の受け座５に共用させるように）行き渡らせるとよい。この裏当て材１０には、ベース素材２と同じ素材（皮革など）を採用することができる。
【００１７】
一方、装飾部材３は、ベース素材２の表面を立体装飾するためのものであって、ベース素材２の受け座５に対して取り付ける。前記したようにこの装飾部材３は、受け座５との間で係合と離脱とを繰り返し行える構造となっている。
本第１実施形態において装飾部材３は、図３に示すようにスナップボタンを構成するうちの雌金具（ボタン）を利用してある。また、装飾部材３は、受け座５を正面から可及的に狭い面積で覆い隠すことのできるように、雌金具自体で形成させてある（ボタン以外には付属物を有していない）。
【００１８】
すなわち、この装飾部材３は、受け座５の係合突起７を嵌め入れる係合凹部１２を有し
ており、この係合凹部１２内には、嵌め入れられた係合突起７の先端部を弾性的に挟持する一対のバネ線材１３が設けられた構造となっている。
この装飾部材３は、台座部３ａと表装部３ｂとを有しており、表装部３ｂの表面に対して、文字や模様、写真、単色又は複数色による着色などにより、装飾が施されている。これら装飾を施す方法としては、印刷、塗装、シール等の付着、樹脂粒の付着、熱又は化学変化による変色、メッキ、彫刻など、種々の方法を採用可能である。その他、ビーズや貝殻、或いは人形や花などを模した小物などの付属物を表装部３ｂに対して付着させるようにしてもよい。このような付属物による装飾を行う場合は、受け座５から大きくはみ出す状態で大型化させてもよい。
【００１９】
装飾を文字とする場合、平仮名、カタカナ、漢字、数字など何でもよいし、勿論、アルファベット（ローマ字を含む）でも、その他の外国語でもよい。また、図１に示しように、一つの装飾部材３に対して一文字を配置してもよいし、殊にローマ字の場合などでは複数の文字を並べて配置してもよい。このように装飾を文字とすることで、所有者のイニシャルや名前、所属などを表現することができる。この場合、文字数を合わせるため、ハイフンやコンマ、ドットなどを装飾として施した装飾部材３や、無地の装飾部材３を準備しておけば、それらの組合せによって種々様々な文字列を判りやすく表現できることになる。
【００２０】
このような装飾部材３をベース素材２の受け座５に取り付けることにより、ベース素材２の表面を立体的に装飾させることができる。また、受け座５に対し、装飾部材３の着脱が任意に行えるため、気分転換などで装飾部材３の配置替えや交換が簡単に行えるものであり、ベース素材２として使用するうえでの自由度が非常に高くなるという利点がある。
なお、図３に示したように、台座部３ａと表装部３ｂとの間へ、装飾部材３の外周部へ張り出すようなリング状の額縁材１５を挟み込むようにすることで、装飾部材３をひときわ目立たせることができるようになる。これにより、立体感や装飾性を高めることができる。額縁材１５は、装着部材３を取り外す際に、取り外しを容易にするためにも有効となる。
【００２１】
図４は、本考案に係る立体装飾付き携行物１の第２実施形態を示している。本第２実施形態の立体装飾付き携行物１は、ベース素材２をストラップ２０に遊嵌状に装着させる鞘形の小物として適用してある。なお、ストラップ２０は、携帯電話や名札などの吊り下げに用いる吊具２１の取り付けでエンドレスとなっているため、ベース素材２は、予め鞘形を展開した平生地状の形状として準備しておき、ストラップ２０中に巻き付けてから鞘形に閉じこめるようにすればよい。ただ、ストラップ２０の製作過程でベース素材２の取り付けを同時に行うのであれば、ストラップ２０に吊具２１を取り付ける前の紐状の段階で、予め鞘形に形成しておいたベース素材２をストラップ２０中へ外挿によって取り付けることもできる。
【００２２】
ところで、本考案は、前記実施形態に限定されるものではなく、実施の形態に応じて適宜変更可能である。
例えば、ベース素材２の受け座５と装飾部材３とを係合離脱可能にするための構造としては、スナップボタン以外にも、ジャンパホックを利用することが可能である。勿論、金属製のものに限らず、樹脂製のものでもよい。また、面ファスナの雄雌部材を利用したり、磁石などを利用したりすることも可能である
【符号の説明】
【００２３】
１  立体装飾付き携行物
２  ベース素材
２ａ  孔
３  装飾部材
３ａ  台座部
３ｂ  表装部
５  受け座
６  裏打ち具
７  係合突起
８  表装リング
１０  裏当て材
１２  係合凹部
１３  バネ線材
１５  額縁材
２０  ストラップ
２１  吊具
【図１】
0003185016.tif 000003
【図２】
0003185016.tif 000004
【図３】
0003185016.tif 000005
【図４】
0003185016.tif 000006